(57)【要約】 【目的】  着加入者に発番号の偽装呼を容易かつ安全に識別可能とすることを課題とする。【構成】  他の通信事業者Ｂの網に接続すると共に、自網Ａ内着端末６０に発信元電話番号を表示可能な電話交換システムの加入者交換機５０であって、着端末宛呼設定メッセージ（ＩＡＭ）の順方向呼表示パラメータが国際呼で、かつ発番号パラメータの表示種別が表示可である時に、着端末宛ＳＥＴＵＰメッセージに国際呼の旨の表示情報を付与する。これにより、着加入者は「国際呼の旨」と「発番号の内容」とを見比べることができ、海外のコールバックシステムを悪用した偽装呼を容易に識別できる。【選択図】  図１
2006304126.tif 000002
【特許請求の範囲】
【請求項１】
他の通信事業者の網に接続すると共に、自網内着端末に発信元電話番号を表示可能な電話交換システムの加入者交換機であって、着端末宛呼設定メッセージ（ＩＡＭ）の順方向呼表示パラメータが国際呼で、かつ発番号パラメータの表示種別が表示可である時に、着端末宛ＳＥＴＵＰメッセージに国際呼の旨の表示情報を付与することを特徴とする加入者交換機。
【請求項２】
前記着端末宛呼設定メッセージの順方向呼表示パラメータが国内呼で、かつ発番号パラメータの表示種別が表示可である時に、着端末に送信するＳＥＴＵＰメッセージに国内呼の旨の表示情報を付与することを特徴とする請求項１記載の加入者交換機。
【請求項３】
他の通信事業者の網に接続すると共に、自網内着端末に発信元電話番号を表示可能な電話交換システムの加入者交換機であって、着端末宛呼設定メッセージ（ＩＡＭ）の順方向呼表示パラメータが国際呼で、かつ発番号パラメータの表示種別が表示可である時に、着端末宛ＳＥＴＵＰメッセージにおける発番号欄の先頭部又は後尾部に国際呼を表すための記号を挿入することを特徴とする加入者交換機。
【請求項４】
前記着端末宛呼設定メッセージ中の着番号で加入者データを参照すると共に、着端末がメッセージ表示機能を有する場合は、該着端末宛ＳＥＴＵＰメッセージに国際呼の旨の表示情報を付与し、着端末がメッセージ表示機能を有しない場合は、該着端末宛ＳＥＴＵＰメッセージにおける発番号欄の先頭部又は後尾部に国際呼を表すための記号を挿入することを特徴とする請求項１又は３記載の加入者交換機。
【請求項５】
他の通信事業者の網に接続すると共に、自網内着端末に発信元電話番号を表示可能な電話交換システムの交換機であって、着端末宛呼設定メッセージ（ＩＡＭ）の順方向呼表示パラメータが国際呼で、かつ発番号パラメータの表示種別が表示可である時に、該着端末宛呼設定メッセージにおける発番号欄の先頭部又は後尾部に国際呼を表すための記号を挿入することを特徴とする交換機。
【発明の詳細な説明】
【技術分野】
【０００１】
本発明は交換機に関し、更に詳しくは、他の通信事業者の網に接続すると共に、自網内着端末に発信元電話番号を表示可能な電話交換システムの交換機（加入者交換機等）に関する。
【背景技術】
【０００２】
最近、我が国における発番号表示サービスを利用すると共に、海外のコールバックシステムを悪用することで、発信者の電話番号を偽装し、自宅の電話番号等を携帯電話に表示させ、相手を信用させた上で、詐欺行為等に及ぼうとする事件が頻発しており、有効な防護策の提供が望まれている。
【０００３】
この点、従来は、着信メッセージがあったときに発信者の電話番号の国コード及び地域コードから地域の時差を読出し、この時差データと使用者（着呼者）の現時刻データとから前記地域の現地時刻を算出し、算出した現地時刻を国名及び地域名とともに表示器に表示させる通信機が知られている（特許文献１）。しかし、発番号の国コード及び地域コードが国内の電話番号によって偽装されている状況では、偽装呼を識別する有効な手段とはなり得ない。
【０００４】
また、従来は、発呼側携帯電話機１００から着呼側携帯電話機２００へ発信者固有の文字情報を送信し、その発信者固有のメッセージ情報を受信した着呼側携帯電話機２００の液晶ディスプレイ１０にそのメッセージ情報（発信者の名前等）が表示すること、また予め登録された電話番号と相手方からの電話番号とを比較して通信相手方のユーザ名などを表示する携帯電話通信システムが知られている（特許文献２）。しかし、悪意の発信者が発信者名前等を偽って送信することが可能であり、このシステムはかえって悪用され易い。
【０００５】
更に、従来は、他の通信事業者の網を介して入力される呼接続メッセージ（ＩＡＭ：Initial Address Message）につき、一定の条件を判別することにより、発番号が偽装された可能性のある通話を識別し、その通話の発番号を一律に非表示とするものが知られている。 
【特許文献１】特開平１１−３４１１３５（要約、図）
【特許文献２】特開平１１−２９８９６６（要約、図）
【発明の開示】
【発明が解決しようとする課題】
【０００６】
しかし、上記偽装の可能性がある呼の発番号を一律に非表示にする方式であると、実際にはコールバックシステムを使用しない善意の国際呼でも判定条件に一致してしまうものが存在するため、結局のところ、着加入者には偽装呼か否かの判断がつかない。
【０００７】
本発明は上記従来技術の問題点に鑑みなされたものであり、その目的とする所は、着加入者に発番号の偽装呼を容易かつ安全に識別可能とする交換機（通話交換サービス）を提供することにある。
【課題を解決するための手段】
【０００８】
上記の課題は例えば図１の構成により解決される。即ち、本発明（１）の加入者交換機
は、他の通信事業者Ｂの網に接続すると共に、自網Ａ内着端末６０に発信元電話番号を表示可能な電話交換システムの加入者交換機５０であって、着端末宛呼設定メッセージ（ＩＡＭ：Initial Address Message）の順方向呼表示パラメータが国際呼で、かつ発番号パラメータの表示種別が表示可である時に、着端末宛ＳＥＴＵＰメッセージに国際呼の旨の表示情報を付与するものである。
【０００９】
本発明（１）においては、既存の発番号表示サービス「表示可」によって着端末のディスプレイには発番号（発信元電話番号）が表示されると共に、本発明（１）により、該呼が国際呼（国際呼として扱われる呼）の場合には、偽装の疑いが有る無しに関わらず前記発番号と共に国際呼の旨の情報（例えば「国際」）が表示されるため、着信加入者に対して少なくとも国際呼であることを認識させることが可能となる。そこで、この場合の着加入者は、表示画面の発番号を見ることで、もしこれが自宅（国内）の電話番号であったら、この呼が偽装の疑いのある（外国を迂回してきた）呼であることを容易に判断できる。また、この発番号が国際番号（少なくとも自分が知っている国内の知人等の電話番号では無いらしい）の場合には、国際（偽装の疑いが無い）呼であると判断できる。従って、本発明（１）によれば発番号の偽装呼をより容易かつ安全に識別可能となる。
【００１０】
また、このような本発明（１）は、通話交換システムの加入者交換機にのみ適用すればよく、他の交換機（関門、中継）や端末装置については既存のものをそのまま利用できるため、効率よく本発明を実現できる。
【００１１】
本発明（２）では、上記本発明（１）において、前記着端末宛呼設定メッセージの順方向呼表示パラメータが国内呼で、かつ発番号パラメータの表示種別が表示可である時に、着端末に送信するＳＥＴＵＰメッセージに国内呼の旨の表示情報を付与するものである。国内呼で、かつ偽装の疑いが無いと思われる場合には、国内呼の旨の情報（例えば「国内」）を表示することで、この場合の着信加入者は、発番号を見るまでも無く、国内呼と容易に認識できる。
【００１２】
本発明（３）の加入者交換機は、他の通信事業者の網に接続すると共に、自網内着端末に発信元電話番号を表示可能な電話交換システムの加入者交換機であって、着端末宛呼設定メッセージ（ＩＡＭ）の順方向呼表示パラメータが国際呼で、かつ発番号パラメータの表示種別が表示可である時に、着端末宛ＳＥＴＵＰメッセージにおける発番号欄の先頭部又は後尾部に国際呼を表すための記号を挿入するものである。
【００１３】
本発明（３）では、条件満足により、着端末宛ＳＥＴＵＰメッセージにおける発番号欄の先頭部又は後尾部に国際呼を表すための記号（例えば「＃＃」又は「＊＊」等）を挿入するため、例えばメッセージ表示機能を備えないような低価格の着端末であっても、発番号の表示と共に、国際呼である旨の情報を効率よく表現（伝達）できる。勿論、本発明（３）をメッセージ表示機能を備える高価な端末に適用しても良いことは言うまでも無い。
【００１４】
本発明（４）では、上記本発明（１）又は（３）において、前記着端末宛呼設定メッセージ中の着番号で加入者データを参照すると共に、着端末がメッセージ表示機能を有する場合は、該着端末宛ＳＥＴＵＰメッセージに国際呼の旨の表示情報を付与し、着端末がメッセージ表示機能を有しない場合は、該着端末宛ＳＥＴＵＰメッセージにおける発番号欄の先頭部又は後尾部に国際呼を表すための記号を挿入するものである。従って、共通の通話交換システムに高機能端末と低機能端末を混在させて収容できると共に、本発明サービスを効率よく提供できる。
【００１５】
本発明（５）の交換機は、他の通信事業者の網に接続すると共に、自網内着端末に発信元電話番号を表示可能な電話交換システムの交換機（関門、中継又は加入者の各交換機）
であって、着端末宛呼設定メッセージ（ＩＡＭ）の順方向呼表示パラメータが国際呼で、かつ発番号パラメータの表示種別が表示可である時に、該呼設定メッセージにおける発番号欄の先頭部又は後尾部に国際呼を表すための記号を挿入するものである。本発明（５）によれば、着端末宛呼設定メッセージの発番号欄に国際呼を表すための記号を挿入する操作は、関門、中継又は加入者のどの交換機でも行える為、本発明適用の融通性が高い。
【発明の効果】
【００１６】
以上述べた如く本発明によれば、発番号を偽装した呼をより容易かつ安全に識別可能となるため、通話交換サービス運用の安全性・信頼性向上に寄与する所が極めた大きい。
【発明を実施するための最良の形態】
【００１７】
以下、添付図面に従って本発明に好適なる実施の形態を詳細に説明する。なお、全図を通して同一符号は同一又は相当部分を示すものとする。図１は実施の形態による発信者電話番号偽装対策ネットワークの構成を示す図で、電話会社Ａ（自社系），Ｂ（国際系）及びＣ（中継系）の各ネットワークが相互接続点（ＰＯＩ）を介して相互に接続する場合を示している。
【００１８】
図において、１０は関門交換機（ＧＳ）、２０は特定中継交換機と関門交換機の機能を兼ね備える特定中継交換機／関門交換機（ＳＸＣ／ＧＳ）、３０，４０は同じく区域内中継交換機／相互接続用関門交換機（ＩＣ／ＩＧＳ）、５０は着端末が在圏する加入者交換機（ＧＣ）、１００は移動網、６０はユーザＡの携帯端末である。
【００１９】
係る網構成における呼設定時の基本的動作を説明する。呼の設定は、Ｔ点のＳＥＴＵＰメッセージに対応するアドレスメッセージ(ＩＡＭ : Initial Address Message )の転送により起動される。着信側の加入者交換機５０では、呼設定に必要な全ての情報を受け取ると、アドレス完了メッセージ(ＡＣＭ：Address Complete Message)を発信局側に返送する。電話呼については、着ユーザＡの呼出しがはじまると、その旨を呼経過メッセージ(ＣＰＧ：Call Progress)により発信局側に伝えると共に、着信局がらの呼出音を発ユーザに送る。そして、着ユーザＡからの応答に対応して、応答メッセージ(ＡＮＭ：Answer Message)が送られる。
【００２０】
図９，図１０は実施の形態による通信システムが準拠する標準規格ＪＴ−Ｑ７６３（ＩＴＵＴ勧告Ｑ．７６３に準拠）の一部内容を示す図で、図９は交換網インタフェースでやり取りされるアドレスメッセージＩＡＭの一部パラメータを示している。図９（Ａ）は順方向呼表示フィールドのフォーマットを示しており、ここで、国内／国際呼表示の「ビットＡ」＝０は国内呼として処理される呼、「ビットＡ」＝１は国際呼として処理される呼である。
【００２１】
図９（Ｂ）は発番号フィールドのフォーマットを示しており、ここで、「表示種別」＝００は表示可を表す。また、これに続く「第１文字」〜「第Ｎ文字」の欄には発番号が搭載される。
【００２２】
図１０にユーザ網インタフェース（Ｔ点）でやり取りされるＳＥＴＵＰメッセージの一部パラメータを示す。図１０（Ａ）は発表示フィールドのフォーマットを示しており、ここで、「表示情報」の欄には国際／国内等の文字情報をＩＡ５キャラクタで搭載可能である。
【００２３】
図１０（Ｂ）は発番号フィールドのフォーマットを示しており、ここで、「番号種別」＝００１は国際番号、「番号種別」＝０１０は国内番号である。また、「表示識別子」＝００は表示可である。また、「番号ディジット」の欄には発番号が搭載される。
【００２４】
図２は実施の形態によるＩＡＭ信号受信処理のフローチャート（１）で、 偽装の可能性がある着信呼に対して加入者交換機５０で表示情報要素にその旨の識別情報を付与する場合を示している。ＩＡＭ信号を受信するとこの処理に入力する。ステップＳ１１では、順方向呼表示の国内／国際呼表示＝「１」（国際呼）か否かを判別し、国際呼でない場合は、偽装の疑いがないとして、ステップＳ１４に進む。この場合は、発番号の表示種別に関係なくＳＥＴＵＰメッセージの表示情報要素を生成しない。
【００２５】
また、国際呼の場合は更にステップＳ１２で発番号表示種別＝「００」（表示可）か否かを判別する。表示可の場合は、偽装の可能性があるため、ステップＳ１３でＳＥＴＵＰメッセージの表示情報要素に偽装の疑いがある旨（例えばＩＡ５キャラクタにて「国際」)の情報を生成する。これにより、着信加入者の携帯電話に「国際」の文字を表示させる。また表示可でない場合は、偽装の疑いが無いとして上記ステップＳ１３の処理をスキップする。この場合は、ＳＥＴＵＰメッセージの表示情報要素を生成しない。そして、ステップＳ１４ではＳＥＴＵＰメッセージを生成し、ステップＳ１５ではＳＥＴＵＰメッセージを着信端末宛に送信する。
【００２６】
図３は実施の形態によるＩＡＭ信号受信処理のフローチャート（２）で、 偽装の可能性が無い着信呼に対しても加入者交換機５０で表示情報要素にその旨の識別情報を付与する場合を示している。ＩＡＭ信号を受信するとこの処理に入力する。順方向呼表示の国内／国際呼表示＝「１」（国際呼）の場合は、上記図２で述べたものと同一で良い。同一の処理には同一の処理番号を付与して説明を省略する。
【００２７】
上記ステップＳ１１の判別で国際呼でない場合は、偽装の疑いないとして、ステップＳ２１に進む。ステップＳ２１では発番号表示種別＝「００」（表示可）か否かを判別する。表示可の場合は、ステップＳ２２でＳＥＴＵＰメッセージのの表示情報要素に偽装の疑いがない旨（例えばＩＡ５キャラクタにて「国内」)の情報を生成する。これにより、着信加入者の携帯電話に「国内」の文字を表示させる。また、表示可でない場合は、偽装の疑いがないとし、ステップＳ２２の処理をスキップする。この場合は、ＳＥＴＵＰメッセージの表示情報要素を生成しない。
【００２８】
図４は実施の形態によるＩＡＭ信号受信処理のフローチャート（３）で、 着信加入者の携帯電話の機能（性能）に合わせて発番号識別情報の付与の態様を変える場合を示している。ＩＡＭ信号を受信するとこの処理に入力する。なお、上記と同一の処理には同一の処理番号を付与して説明を省略する。ステップＳ３１では着信端末の機能が表示情報要素を表示可能か否かを判別する。表示可の場合は、ステップＳ１３でＳＥＴＵＰメッセージの表示情報要素に偽装の疑いある旨（例えばＩＡ５キャラクタにて「国際」)の情報を生成する。また、表示可能でない場合は、ステップＳ３２でＳＥＴＵＰメッセージ発番号欄の先頭部（又は後尾部でも良い）に国際呼の旨の識別文字（＃＃又は＊＊等）を挿入する。
【００２９】
図１１に実施の形態による着信加入者データ抽出処理のイメージを示す。呼制御部５１はＩＡＭ信号の着加入者番号で加入者データベース５２を参照し、着加入者の加入者データを読み出す。ここには、「機体種別」として、表示情報要素を表示可能か否かの情報が含まれている。
【００３０】
図５は実施の形態による呼処理のシーケンス図（１）で、偽装の可能性がある通話に対して加入者交換機５０がその旨の表示情報要素を付与する場合を示している。図において、他網の関門交換機（ＧＳ）１０からのＩＡＭ信号には、発番号（不図示）と共に、国内／国際呼表示＝「１」（国際呼として処理される呼）で、かつ表示種別＝「００」（表示
可）の情報が含まれている。ところで、実際には、善意の国際呼の中にも「国際呼」でかつ「表示可」のものが存在するため、善意の呼と海外のコールバックシステムを悪用した偽装呼とを区別するのは困難である。本明細書では、この種の呼を偽装の可能性がある呼と呼ぶこととする。自網の関門交換機３０は、受信したＩＡＭ信号に対しての加工は行わずに、着加入者の在圏している加入者交換機（ＧＣ）５０にそのまま中継する。
【００３１】
ＩＡＭ信号を受信した加入者交換機（ＧＣ）５０では、ＩＡＭ信号からＳＥＴＵＰメッセージを生成する際に、順方向呼表示の国内／国際呼表示と発番号の表示種別とを判定すると共に、国内／国際呼表示＝「１」（国際呼）で、かつ表示種別＝「００」（表示可）であることにより、偽装の可能性ありを意味するＩＡ５キャラクタ（例えば「国際」）を含む表示情報を生成する。加入者交換機（ＧＣ）５０はＳＥＴＵＰメッセージの生成を終えると着加入者Ａの携帯電話６０に着信のＳＥＴＵＰメッセージを送信する。
【００３２】
これを受信した携帯電話６０はＳＥＴＵＰメッセージに含まれる表示情報「国際」と発信者の電話番号の表示を行うと共に、呼出音を出力する。着加入者Ａは、着画面を見ることで、もし「国際」と共に自宅（国内）の電話番号が表示されていたら、この呼が偽装の疑いのある（外国を迂回してきた）呼であることを容易に判断できる。また、もし「国際」と共に国際番号（少なくとも自分が知っている国内の知人等の電話番号では無いらしい）が表示されていたら、国際（偽装の疑いが無い）呼であると判断できる。そして、着加入者Ａが受話キーを押すと、発信者と受信者間が通話状態になる。
【００３３】
図６は実施の形態による呼処理のシーケンス図（２）で、偽装の疑いのない通話に対して加入者交換機５０がその旨の表示情報要素を付与する場合を示している。他網の関門交換機（ＧＳ）１０からのＩＡＭ信号には、発番号（不図示）と共に、国内／国際呼表示＝「０」（国内呼として処理される呼）で、かつ表示種別＝「００」（表示可）の情報が含まれている。この種の「国内呼」にはコールバックシステムを悪用した偽装呼は含まれないから、偽装の疑いのない通話と言える。自網の関門交換機３０は、受信したＩＡＭ信号に対しての加工は行わずに、着加入者の在圏している加入者交換機（ＧＣ）５０にそのまま中継する。
【００３４】
ＩＡＭ信号を受信した加入者交換機（ＧＣ）５０では、ＩＡＭ信号からＳＥＴＵＰメッセージを生成する際に、国内／国際呼表示＝「０」（国内呼）で、かつ表示種別＝「００」（表示可）であることにより、偽装の可能性なしを意味するＩＡ５キャラクタ（例えば「国内」）を含む表示情報を生成する。加入者交換機（ＧＣ）５０はＳＥＴＵＰメッセージの生成を終えると着加入者Ａの携帯電話６０に着信のＳＥＴＵＰメッセージを送信する。
【００３５】
これを受信した携帯電話６０はＳＥＴＵＰメッセージに含まれる表示情報「国内」と発信者の電話番号の表示を行うと共に、呼出音を出力する。着加入者Ａは、着画面の「国内」を見ることで、とりあえず偽装呼の疑いから開放される。そして、着加入者Ａが受話キーを押すと、発信者と受信者間が通話状態になる。
【００３６】
図７は実施の形態による呼処理のシーケンス図（３）で、順方向呼表示が「国内呼」で、かつ発番号表示種別が「表示可以外」の場合を示している。発番号表示種別が「表示可以外」の場合は、発信者の指示通り、発信者電話番号も、偽装の可能性有無を意味する表示情報も表示しない。
【００３７】
図８は実施の形態による呼処理のシーケンス図（４）で、ＩＡＭ信号の内容が「国際呼」で、かつ「表示可」であると共に、その着端末が高度な表示機能を備えない場合の処理を示している。この場合の加入者交換機（ＧＣ）５０では、国内／国際呼表示＝「０」（
国内呼）で、かつ表示種別＝「００」（表示可）であることにより、偽装の可能性ありと判定する。更に、着番号を使用して加入者データを参照し、この着端末が高度な表示機能を備えないことを判別する。そして、ＩＡＭ信号からＳＥＴＵＰメッセージを生成する際には、発番号欄の例えば先頭部に偽装の可能性がある旨の記号「＃＃」を挿入する。
【００３８】
なお、上記実施の形態では図９（Ａ）に示す順方向呼表示のビットＡを判定条件に利用したが、これ限らない。これに代え、例えば図９（Ｂ）の番号種別表示＝「０００００１００」を国際番号、それ以外を非国際番号として判定条件に利用しても良い。また、上記実施の形態では移動網に対する標準規格ＪＴ−Ｑ７６３に準拠した応用例を具体的に述べたが、これに限らない。着端末宛呼設定メッセージ（ＩＡＭ）の順方向呼表示パラメータが国際呼で、かつ発番号パラメータの表示種別が表示可であること、の条件判定については、準拠する標準規格によらず、実質的な意味に従って同様に扱える。
【００３９】
また、上記は携帯端末（ＰＨＳを含む）を利用した移動通信システムへの適用例を述べたが、本発明は、固定電話やＩＰ電話網にも適用できる。
【００４０】
また、上記実施の形態では加入者交換機でＩＡＭ信号の判定処理を行う場合を述べたが、これに限らない。他にも関門交換機や中継交換機で同様の判定処理を行い、判定結果の情報を下流に伝えるように構成しても良い。あるいは、網側で判定する代わりに、着端末で判定するように構成しても良い。
【００４１】
また、上記本発明に好適なる実施の形態を述べたが、本発明思想を逸脱しない範囲内で各部の構成、制御、処理及びこれらの組合せの様々な変更が行えることは言うまでも無い。
【００４２】
（付記１）  他の通信事業者の網に接続すると共に、自網内着端末に発信元電話番号を表示可能な電話交換システムの加入者交換機であって、着端末宛呼設定メッセージ（ＩＡＭ）の順方向呼表示パラメータが国際呼で、かつ発番号パラメータの表示種別が表示可である時に、着端末宛ＳＥＴＵＰメッセージに国際呼の旨の表示情報を付与することを特徴とする加入者交換機。
【００４３】
（付記２）  前記着端末宛呼設定メッセージの順方向呼表示パラメータが国内呼で、かつ発番号パラメータの表示種別が表示可である時に、着端末に送信するＳＥＴＵＰメッセージに国内呼の旨の表示情報を付与することを特徴とする付記１記載の加入者交換機。
【００４４】
（付記３）  他の通信事業者の網に接続すると共に、自網内着端末に発信元電話番号を表示可能な電話交換システムの加入者交換機であって、着端末宛呼設定メッセージ（ＩＡＭ）の順方向呼表示パラメータが国際呼で、かつ発番号パラメータの表示種別が表示可である時に、着端末宛ＳＥＴＵＰメッセージにおける発番号欄の先頭部又は後尾部に国際呼を表すための記号を挿入することを特徴とする加入者交換機。
【００４５】
（付記４）  前記着端末宛呼設定メッセージ中の着番号で加入者データを参照すると共に、着端末がメッセージ表示機能を有する場合は、該着端末宛ＳＥＴＵＰメッセージに国際呼の旨の表示情報を付与し、着端末がメッセージ表示機能を有しない場合は、該着端末宛ＳＥＴＵＰメッセージにおける発番号欄の先頭部又は後尾部に国際呼を表すための記号を挿入することを特徴とする付記１又は３記載の加入者交換機。
【００４６】
（付記５）  他の通信事業者の網に接続すると共に、自網内着端末に発信元電話番号を表示可能な電話交換システムの交換機であって、着端末宛呼設定メッセージ（ＩＡＭ）の順方向呼表示パラメータが国際呼で、かつ発番号パラメータの表示種別が表示可である
時に、該着端末宛呼設定メッセージにおける発番号欄の先頭部又は後尾部に国際呼を表すための記号を挿入することを特徴とする交換機。
【００４７】
（付記６）  他の通信事業者の網に接続すると共に、自網内着端末に発信元電話番号を表示可能な電話交換システムの端末装置であって、受信したＳＥＴＵＰメッセージの発番号種別が国際番号で、かつその表示識別子が表示許可である時に、自端末のディスプレイ上にＳＥＴＵＰメッセージ中の発信元電話番号と共に国際呼の旨の表示情報を表示することを特徴とする端末装置。このような、端末装置を導入することで、網側の交換機に別段の機能を備えなくても、本発明を実現できる。
【図面の簡単な説明】
【００４８】
【図１】実施の形態による発信者電話番号偽装対策ネットワークの構成を示す図である。
【図２】実施の形態によるＩＡＭ信号受信処理のフローチャート（１）である。
【図３】実施の形態によるＩＡＭ信号受信処理のフローチャート（２）である。
【図４】実施の形態によるＩＡＭ信号受信処理のフローチャート（３）である。
【図５】実施の形態による呼処理のシーケンス図（１）である。
【図６】実施の形態による呼処理のシーケンス図（２）である。
【図７】実施の形態による呼処理のシーケンス図（３）である。
【図８】実施の形態による呼処理のシーケンス図（４）である。
【図９】実施の形態における交換網インタフェースを説明する図である。
【図１０】実施の形態におけるユーザ網インタフェースを説明する図である。
【図１１】実施の形態による着信加入者データ抽出処理を示す図である。
【符号の説明】
【００４９】
１０  関門交換機（ＧＳ）
２０  特定中継交換機／関門交換機（ＳＸＣ／ＧＳ）
３０，４０  区域内中継交換機／相互接続用関門交換機（ＩＣ／ＩＧＳ）
５０  加入者交換機（ＧＣ）
６０  携帯端末
１００  移動網
【図１】
2006304126.tif 000003
【図２】
2006304126.tif 000004
【図３】
2006304126.tif 000005
【図４】
2006304126.tif 000006
【図５】
2006304126.tif 000007
【図６】
2006304126.tif 000008
【図７】
2006304126.tif 000009
【図８】
2006304126.tif 000010
【図９】
2006304126.tif 000011
【図１０】
2006304126.tif 000012
【図１１】
2006304126.tif 000013